(57)【要約】【課題】  設置作業が簡便かつ安価であることはもとより、昆布等の海藻の仮根を吸着しやすく抜け落ちにくくするとともに、潮の流れや栄養分、海藻の根や葉の成長方向等が天然の海藻が育つ自然環境にできるだけ近い養殖環境を構成して高品質の海藻を提供し、しかも海底で魚礁としての役割も果たし得る海藻の養殖方法およびその装置を提供する。【解決手段】  長尺平帯状に形成した養殖ベルト２の一方面に海藻の種苗を植え付け、その一方面を上方に向けて海中に張設して海藻を繁殖させる。【選択図】  図１
2006129753.tif 000002
【特許請求の範囲】
【請求項１】
長尺平帯状に形成した養殖ベルトの一方面に海藻の種苗を植え付け、その一方面を上方に向けて海中に張設して海藻を繁殖させることを特徴とする海藻の養殖方法。
【請求項２】
請求項１において、前記養殖ベルトを網目状に構成したネット状養殖ベルトを海中に張設することを特徴とする海藻の養殖方法。
【請求項３】
請求項２において、前記ネット状養殖ベルトは、複数本の使用済みのシートベルトを網目状に縫合して構成されることを特徴とする海藻の養殖方法。
【請求項４】
請求項１から請求項３のいずれかにおいて、前記養殖ベルト幅は３ｃｍ〜１５ｃｍの範囲内に形成されていることを特徴とする海藻の養殖方法。
【請求項５】
海藻の種苗が植え付けられる長尺平帯状の養殖ベルトを網目状に構成したネット状養殖ベルトと、
このネット状養殖ベルトを展張させた状態で海底の岩や砂地等に固定される張設部材とを有することを特徴とする海藻の養殖装置。
【請求項６】
請求項５において、前記張設部材は、内側に圧縮空気を通過し得る通気孔を備えた筒状支柱と、この筒状支柱の下端部に前記通気孔を開口してフランジ状に形成された海底抜け防止プレートと、前記海底抜け防止プレートの上方に所定間隔を隔ててフランジ状に形成された傾斜防止プレートと、この傾斜防止プレートの上方で前記ネット状養殖ベルトを結着するベルト結着部とを有することを特徴とする海藻の養殖装置。
【請求項７】
請求項６において、前記傾斜防止プレートには、海底の砂地に埋められた際、傾斜防止プレートの下方に空隙が生じるのを防止する空隙防止孔が形成されていることを特徴とする海藻の養殖装置。
【発明の詳細な説明】
【技術分野】
【０００１】
本発明は、昆布やワカメ等の海藻の養殖技術に関し、特に長尺平帯状のベルトを利用して海藻が育成される自然界に近い養殖環境を形成し、海水の循環も活発にして人工魚礁をも形成することができる海藻の養殖技術に関するものである。
【背景技術】
【０００２】
従来から昆布の安定した収穫量を確保するために昆布の養殖方法が提案されている。現在、実用化されている養殖方法としては、昆布の種苗が付けられた短い糸をロープの撚り目の間に挟み込むようにして植え付け、この種苗が仮植されたロープを海中に垂らしたり展張し、当該ロープに昆布の仮根を付けさせて成長させることが行われている。例えば特開平９−２２４５１０号公報に記載の昆布の養殖方法は、図２５および図２６に示すように、昆布の種苗が仮植された多数のロープ（養成網）１２をフロート１３とおもり１４を使って海面から２ｍの位置に垂れ下げて、海中で横方向に昆布を成長させる技術が記載されている。
【０００３】
【特許文献１】特開平９−２２４５１０号公報
【発明の開示】
【発明が解決しようとする課題】
【０００４】
ところで、天然昆布等の海藻の生育環境に鑑みると、海藻は海底の岩場等にしっかりと仮根を張り、葉状体（葉）を潮の流れに従って揺らし、その葉状体全体から養分を吸収している。そして、図２７乃至図２９に示すように、天然昆布が岩場に根付いている状態をよく観察すると、天然昆布は葉状体の付け根の部分である葉柄（茎）から下方に多数の細かい仮根を分岐させており、それら多数の仮根によって岩場を掴むというよりも、仮根の先端面を吸盤のように使って岩場の表面に広く吸着させていることがわかる。したがって、昆布等の海草を養殖する場合、上述した天然昆布等が育つ自然環境や仮根の吸着状態をできる限り再現した方が天然昆布に近い品質の昆布を繁殖させられるものと考えられる。
【０００５】
しかしながら、前述した特許文献１をはじめ従来の昆布の養殖方法においては以下に示すような問題がある。
１．ロープを使用しているため、昆布の仮根が吸着する面が小さく、岩場の表面のように広く吸着できない。したがって、時化など、潮の流れが強くなるとロープから抜け落ち易いという問題がある。特に、養殖に使用されるロープは、昆布の種苗を植え付ける際、人手によってロープの撚り目を広げて、そこに昆布種苗が付いた糸をねじ込むようになっているため、容易に手で撚り目が広げられるよう、太さが約１．５ｃｍ径程度のロープが使用される。このような細いロープでは岩場の接着面とまったく異なるため、品質の良い昆布は育成できない。
２．時化などによって昆布が揺れた場合、昆布の仮根は回転方向の力を受けるが、引っ張られているロープは昆布の揺れに影響されずにほとんど回転しないため、昆布の仮根とロープとの間に大きなせん断応力が生じてしまう。このとき、昆布がロープから抜け落ちやすいという問題がある。
３．ロープで養殖される昆布は、天然昆布に比べて品質が劣るという問題がある。この要因の一つには、断面が円形状であるロープの場合、昆布の仮根がロープに巻き付くように伸びるため、上方に伸びようとする昆布とその成長方向が異なり、葉柄が歪むなど不自然な状況で育成されている要因が考えられる。特に、特許文献１に示すような、垂れ下げたロープを使って横方向に昆布を成長させる場合には、上方へ伸びようとする昆布の成長を阻害する可能性が高い。
４．また、ロープを使用する場合、船上での収穫の簡便化を考慮して海面から２ｍ程度にロープが張られているが、海面近傍では海底とは異なり時化の影響を大きく受けるため抜け落ちる確率が高くなる。そもそも天然昆布が海面近くに浮いて生育しておらず、海面と海底とでは潮の流れや栄養分、重力の加わり方など様々な点において異なるであろうから、従来のロープを使用した育成環境では天然昆布に近い品質に生育できるとは考えにくい。
５．ロープの表面は曲線がきつく表面積も小さいため、水中浮遊している海藻の菌を海底の岩場のように付着させることは難しい。
６．一方、魚礁ブロック等を海底に沈めて海藻を根付かせる場合もあるが、魚礁ブロックは大きくて重いため、設置作業が大掛かりとなるし、危険も伴う。しかも、魚礁ブロックはその重量によって時間が経つと海底の砂地に沈んでしまう。
【０００６】
本発明は、このような問題点を解決するためになされたものであって、設置作業が簡便かつ安価であることはもとより、昆布等の海藻の仮根を吸着しやすく抜け落ちにくくするとともに、潮の流れや栄養分、海藻の根や葉の成長方向等が天然の海藻が育つ自然環境にできるだけ近い養殖環境を構成して高品質の海藻を提供し、しかも海底で魚礁としての役割も果たし得る海藻の養殖方法およびその装置を提供することを目的としている。
【課題を解決するための手段】
【０００７】
本発明に係る海藻の養殖方法の特徴は、長尺平帯状に形成した養殖ベルトの一方面に海藻の種苗を植え付け、その一方面を上方に向けて海中に張設して海藻を繁殖させる点にある。
【０００８】
また、本発明において、前記養殖ベルトを網目状に構成したネット状養殖ベルトを海中に張設することが好ましい。
【０００９】
さらに、本発明において、前記ネット状養殖ベルトは、複数本の使用済みのシートベルトを網目状に縫合して構成されることが好ましい。
【００１０】
また、本発明において、前記養殖ベルト幅は３ｃｍ〜１５ｃｍの範囲内に形成されていることが好ましい。
【００１１】
本発明に係る海藻の養殖装置の特徴は、海藻の種苗が植え付けられる長尺平帯状の養殖ベルトを網目状に構成したネット状養殖ベルトと、このネット状養殖ベルトを展張させた状態で海底の岩や砂地等に固定される張設部材とを有する点にある。
【００１２】
また、本発明において、前記張設部材は、内側に圧縮空気を通過し得る通気孔を備えた筒状支柱と、この筒状支柱の下端部に前記通気孔を開口してフランジ状に形成された海底抜け防止プレートと、前記海底抜け防止プレートの上方に所定間隔を隔ててフランジ状に形成された傾斜防止プレートと、この傾斜防止プレートの上方で前記ネット状養殖ベルトを結着するベルト結着部とを有することが好ましい。
【００１３】
さらに、本発明において、前記傾斜防止プレートには、海底の砂地に埋められた際、傾斜防止プレートの下方に空隙が生じるのを防止する空隙防止孔が形成されていることが好ましい。
【発明の効果】
【００１４】
本発明によれば、以下のいずれか１つ乃至それ以上の効果を効果を奏することができる。
１．使用済みのシートベルトを使用することができるし、作業が１人でもできるほど簡単かつ安価な設置作業となる。
２．昆布等の海藻の仮根が吸着しやすく抜け落ちにくい養殖環境を提供する。
３．潮の流れや栄養分、海藻の根や葉の成長方向等が天然の海藻が育つ自然環境にできるだけ近い養殖環境を提供し、天然海藻に近い品質の海藻が育成できる。
３．海底の養殖場が魚礁としての役割も果たすことができる。
４．養殖装置が海底の砂地に簡単に埋まらないような工夫を備え、砂地の状況に合わせて高さを調整することができる。
【発明を実施するための最良の形態】
【００１５】
以下、本発明に係る海藻の養殖方法およびその装置の実施形態について図面を参照しつつ説明する。
【００１６】
本実施形態における海藻の養殖方法およびその装置１は、シートベルト等の長尺平帯状のベルトを海藻を養殖させる養殖ベルト２として利用し、この養殖ベルト２の平坦面に海藻の仮根を吸着させてしっかり根付かせ、潮の流れに対しては海藻の揺れに合わせて養殖ベルト２がゆったりと揺動するようになっている。
【００１７】
図１および図２は、本実施形態における昆布の養殖装置１を示す図である。図１に示すように、本実施形態の昆布養殖装置１は、昆布の種苗が植え付けられる長尺平帯状の養殖ベルト２を網目状に構成したネット状養殖ベルト３と、このネット状養殖ベルト３を展張させた状態で海底の岩や砂地等に固定する張設部材４とを有している。
【００１８】
図１に示すように、ネット状養殖ベルト３は、ベルト幅が約５ｃｍのシートベルトからなる養殖ベルト２を縦および横に８本ずつ並べて交差部分を縫合し、一辺が約２．１ｍの正方形状に形成されている。ネット状養殖ベルト３の４隅には、張設部材４に結着するための結着ベルト５が対角線上の外方向に延出されて縫合されている。前記結着ベルト５の先端部は折り返されてループ状に縫合されており、ここに紐６が通されて張設部材４に結着されるようになっている。本実施形態で使用する養殖ベルト２は一般的な車載用のシートベルトを利用するため、そのベルト幅が約５ｃｍであるが、これに限る必要はなく、昆布の仮根の吸着面を確保しつつ、昆布の揺れに伴って揺動すること、および間引きの手間を抑えることを考慮すれば、約３ｃｍ〜１５ｃｍの範囲であることが好ましい。また、養殖ベルト２の素材は、ポリアミドやポリエステル、強化ナイロン等の布地が、縫合加工できる、素材コストが安いこと、昆布の仮根が根付きやすいこと、潮の流れに揺れすぎず、昆布の揺れに合わせて多方向に適度な可撓性を有すること、腐食しにくいことなどの観点から好ましいが、これに限るものではない。適性の差は存在しても養殖できれば他の素材に代替することができる。
【００１９】
また、図１および図３に示すように、張設部材４は、円筒状の筒状支柱７と、この筒状支柱７の下端部にフランジ状に形成された海底抜け防止プレート８と、この海底抜け防止プレート８の上方に所定間隔を隔ててフランジ状に形成された傾斜防止プレート９と、前記筒状支柱７の上端部に取り付けられたベルト結着部１０とを有している。
【００２０】
筒状支柱７は、支柱本体７１の内側にスライド支柱７２が長軸方向に沿って摺動自在に収納されている。支柱本体７１の上部には固定穴７３が貫通されており、この固定穴７３に合わせるようにしてスライド支柱７２には長手方向に複数の高さ調整穴７４が穿孔されている。これらの穴には、高さ調整ボルト７５が貫通されて所定の高さで高さ調整ナット７６により締結される。これらによってネット状養殖ベルト３を展張する海底からの高さを適宜調整可能であり、設置後の高さ調整や砂地に埋まりそうになったネット状養殖ベルト３を高い位置に移動できる。
【００２１】
また、支柱本体７１およびスライド支柱７２は、いずれも上端から下端まで中空に貫通されており、圧縮空気が通気される通気孔（図示せず）が形成されている。後述するように、筒状支柱７の通気孔に上から圧縮空気を入れて下方から噴射させることで、海底の砂地を掘り起こし、筒状支柱７を埋設するようになっている。
【００２２】
海底抜け防止プレート８は、筒状支柱７の下端部に溶接されている。図４に示すように、海底抜け防止プレート８は、直径約４０ｃｍの円板状に形成されており、その中央部に筒状支柱７の通気孔に連通する開口部８１が形成されている。このような構成によって、前記開口部８１から圧縮空気を噴射して砂地を掘り起こし、海底に埋設される。そして、フランジ状の形状によって筒状支柱７が抜けたり、傾くのを防止するようになっている。
【００２３】
傾斜防止プレート９は、筒状支柱７の支柱本体７１のほぼ中間位置に溶接されている。図５に示すように、傾斜防止プレート９は、直径約４０ｃｍの円板状に形成されており、このフランジ状の形状によって、前記海底抜け防止プレート８と共に筒状支柱７が傾くのを防止する。また、傾斜防止プレート９の中央部には支柱本体７１に嵌め込むための嵌合穴９１が形成されている。この嵌合穴９１の周囲には、外方向に三角形状の頂点を配する空隙防止孔９２が形成されている。この空隙防止孔９２は、図６に示すように、張設部材４を埋設する際、圧縮空気を噴射して砂地を吹き飛ばすため、傾斜防止プレート９の下方に空隙が生じてしまう。傾斜防止プレート９の下方に空隙が存在していると、筒状支柱７が傾きやすいし、抜けやすい。したがって、そのような空隙を埋めるため、傾斜防止プレート９の上方から空隙防止孔９２を通して砂を落とし、空隙をなくすようになっている。
【００２４】
なお、空隙防止孔９２が大きすぎると、抵抗部分が小さくなるので傾斜防止効果および抜け防止効果が低減されてしまう。このため、前記空隙防止孔９２の形状は三角形状の頂点を外方向に向けた形状に形成され、筒状支柱７に近い位置に生じる空隙を埋めるのに効果的で、かつ必要な程度の大きさに形成されている。
【００２５】
また、ベルト結着部１０は図７に示すように、十字円形状に形成されており、十字と輪の間の穴部分に結着ベルト５に結ばれた紐６が結着されるようになっている。また、図８に示すように、複数の昆布養殖装置１が連結されて並置される場合には、ベルト結着部１０の各穴に四方から結着ベルト５の紐６が結着される。
【００２６】
なお、結着ベルト５には紐６が結ばれることを例示したが、これに限る必要はなく、ネット状養殖ベルト３および張設部材４のそれぞれに結着ベルト５を結着しておき、図９に示すような複数のベルト通し孔１１ａを形成したベルト留板１１を使用し、両方の結着ベルト５を前記ベルト通し孔１１ａに通して折り返し、連結するようにしてもよい。
【００２７】
つぎに、本実施形態の昆布の養殖装置１の作用とその養殖方法について説明する。
【００２８】
本実施形態の昆布の養殖装置１は、張設部材４を海底の所定位置に打ち込んでおき、その後、ネット状養殖ベルト３を展張するように結着する。張設部材４を海底に打ち込む場合、船上にコンプレッサー等の圧縮空気を排出する装置を載せておき、ホースを介してベルト結着部１０を外した筒状支柱７の上端から通気孔に連結する。そして、張設部材４を海底に運び、筒状支柱７の下端の開口部８１から圧縮空気を噴射して砂地を吹き飛ばしながら掘り起こし、張設部材４の海底抜け防止プレート８および傾斜防止プレート９を埋設して、前記筒状支柱７をまっすぐ上に向けて立てる。
【００２９】
このようにして他の張設部材４も適当な間隔を隔てて立設した後、筒状支柱７の上端にベルト結着部１０をボルト等によって固定する。このベルト結着部１０にネット状養殖ベルト３の各結着ベルト５を紐６などで結んで結着し、適当な張力をもって展張する。この場合、図９に示すようなベルト留板１１を使用すれば、ネット状養殖ベルト３の張りの調整がし易い。また、ネット状養殖ベルト３には、あらかじめ一方面に昆布の種苗が付けられた糸が取り付けられており、この昆布種苗が植えられた一方面を上に向けて張設部材４に設置される。
【００３０】
このようにして１ユニットの昆布の養殖装置１の設置が完了する。もし、複数ユニットを設置する場合には、図８に示すように、張設部材４を複数のネット状養殖ベルト３で共有することにより、効率的に設置できる。
【００３１】
昆布の養殖装置１の設置後、昆布は養殖ベルト２の上面に沿って仮根を伸ばし、その先端を吸着させながら広がる。数ヶ月後には昆布が生い茂るように成長する。このような昆布の生育状況を観察した結果を図１０〜図１９に示す。
【００３２】
図１０はネット状養殖ベルト３を張設した状態を示す。図１１は約３週間後の育成状況を示すものであり、昆布が１０ｃｍ前後に育っている。図１２は４０日後の昆布の育成状況を示すものであり、徐々に成長している。図１３は６０日後の昆布の育成状況を示す図である。根株が大きくなっていることがわかる。図１４および図１５は約１００日経過後の昆布の育成状況を示す図である。昆布がネット状養殖ベルト３覆って隠してしまうほど生い茂っている。図１５に示すように、昆布の仮根が養殖ベルト２の上面に吸着している。図１６乃至図１９は、約１５０日経過後の昆布の育成状況を示す図である。通常、昆布は２年周期で収穫期を迎えるが、図に示すように本実施形態による養殖昆布は１年目にもかかわらず、天然昆布と同等な肉厚と大きさの昆布に成長しているといえる。また、図１７から図１９に示すように、昆布の仮根が多数分岐して伸び、その先端を養殖ベルト２の表面の折り目にしっかりと吸着し、ベルト幅いっぱいに広がっていることが観察できる。これは、図２７乃至図２９に示す岩場に育つ天然昆布の仮根の生育状態と類似していることがわかる。そして、その仮根から上方に向かって葉柄が伸び、葉状体が大きく広がることができている。
【００３３】
また、以上のように昆布が大きく成長しても、その重量にネット状養殖ベルト３は耐えることができる。これは各養殖ベルト２がシートベルトのような布地で形成されているため必要以上に伸びないこと、ネット状に構成されているため弛みにくいからである。さらに、張設部材４も海底抜け防止プレート８および傾斜防止プレート９の作用によって傾斜を防止し、倒れ難くしていることも理由である。
【００３４】
以上のような本実施形態によれば、以下のような効果を奏することができる。
１．養殖ベルト２が昆布の仮根との接地面を広く確保するため、天然昆布が岩場に仮根を張り巡らせるのと同様な作用を得ることができ、しっかりと根を張ることができる。
２．養殖ベルト２は可撓性を備えているため、昆布が潮の流れによって揺れると、これに伴って各養殖ベルト２も柔軟に揺動できるので、昆布の仮根と養殖ベルト２との間に大きなせん断力が生じるのを抑制することができ、昆布の抜け落ちを防止できる。
３．養殖ベルト２の上面に昆布の仮根を吸着させられるため、仮根の育成方向と昆布の成長方向が自然であり、従来のような葉柄が歪んだ成長をするなどの適正な成長を阻害しない。
４．ネット状養殖ベルト３は適当な間隔を空けて昆布を育成できるので、間引き処理が軽減されるし、海底に安定して張設できるため、潮の流れや栄養分の吸収が天然昆布の育成環境に極めて近く、天然昆布のような品質の良い昆布を安定的に養殖できる。
５．張設部材４を海底や岩盤に固定して、ネット状養殖ベルト３を張設するだけなので、設置が極めて簡単で１人でも作業可能である。また、廃品のシートベルトを使用することができるので、低コストで設置できる。
６．図２０〜図２４に示すように、昆布の養殖装置１を海底に設置すれば、適度な潮の流れと隠れ場所を確保することができ、ウニやナマコ、クロガシラ等の魚介類が棲息できる魚礁を形成することができる。したがって、養殖装置としてだけでなく、人工魚礁としての高付加価値まで兼ね備えている。これは従来の人工魚礁ブロックに比べて、比較にならないほど軽くて設置作業が簡単であり、安全な作業となる。
７．従来の魚礁ブロックの場合、その重量によって時間の経過と共に砂地に沈んでしまうが、本実施形態の場合、筒状支柱７は軽くて細いので沈みにくいし、仮に沈みはじめても高さ調整が可能なので簡単に海底からの高さを調整できる。
８．近年、昆布などの海藻が、森林と同等またはそれ以上に二酸化炭素の削減に寄与することが環境省の調査で明らかとなり、海藻を育成する魚礁の設置が促進されている。この点、本実施形態の養殖装置は極めて簡便な作業で設置することができ、効果的に海藻を増殖できるため、二酸化炭素の削減による環境保全に資することもできる。
【００３５】
なお、本発明に係る海藻の養殖方法およびその装置は、前述した実施形態に限定されるものではなく、適宜変更することができる。
【００３６】
例えば、張設部材４の海底抜けや傾斜を防止するために、円板状のプレートを使用しているがこれに限る必要はなく、抜け防止や傾斜防止の作用効果を奏するのであれば様々な形状のプレートを使用してもよく、複数枚のプレートを筒状支柱７の長手方向に沿って羽根のように配置する構成としてもよい。
【００３７】
また、本実施形態では、ネット状養殖ベルト３を海底に張設する例を示したが、ネット状以外の形状に形成してもよい。また、シートベルトを縫合するのではなく、予めネット状に縫製した製品を作成してもよい。さらに、養殖ベルト２を従来のロープに代えて海底から離れた海中に水平に吊っても、従来装置に比べて所定の効果を奏することができる。
【００３８】
さらに、本実施形態の張設部材４は、砂地に埋設する場合を例示したが、岩場に設置してもよい。この場合、岩場を掘削して支柱が倒れないように接着材等によって立設するようになる。
【００３９】
また、ネット状養殖ベルト３は多数の養殖ベルト２を縫合して連結するのが腐食や強度の点から好ましいが、縫合に代えて鋲を打って連結することも可能である。
【図面の簡単な説明】
【００４０】
【図１】本発明に係る海藻の養殖装置の実施形態を示す平面図である。
【図２】図１の正面図である。
【図３】本実施形態における張設部材を示す図であり、（ａ）は筒状支柱を縮めた状態を示し、（ｂ）は筒状支柱を伸ばした状態を示す図である。
【図４】本実施形態における張設部材の海底抜け防止プレートを示す平面図である。
【図５】本実施形態における張設部材の傾斜防止プレートを示す平面図である。
【図６】傾斜防止プレートの下方に生じる空隙を示す図である。
【図７】本実施形態における張設部材のベルト結着部を示す平面図である。
【図８】本実施形態の昆布の養殖装置を複数ユニット連設した状態を示す図である。
【図９】本実施形態において結着ベルトを張設部材に結着する際に使用するベルト留板を示す図であり、（ａ）は斜視図であり、（ｂ）は結着ベルトを結着した状態を示す図である。
【図１０】本実施形態の昆布の養殖装置を海底に設置した状態を示すデジタル写真画像である。
【図１１】本実施形態の昆布の養殖装置を設置して３週間経過後の昆布の育成状態を示すデジタル写真画像である。
【図１２】本実施形態の昆布の養殖装置を設置して約４０日経過後の昆布の育成状態を示すデジタル写真画像である。
【図１３】本実施形態の昆布の養殖装置を設置して約６０日経過後の昆布の育成状態を示すデジタル写真画像である。
【図１４】本実施形態の昆布の養殖装置を設置して約１００日経過後の昆布の育成状態を示すデジタル写真画像である。
【図１５】図１４における昆布の仮根の吸着状態を示すデジタル写真画像である。
【図１６】本実施形態の昆布の養殖装置を設置して約１５０日経過後の昆布の育成状態を示すデジタル写真画像である。
【図１７】図１６における昆布の仮根の吸着状態を示すデジタル写真画像である。
【図１８】図１６における昆布の仮根の吸着状態を示す他のデジタル写真画像である。
【図１９】図１６における昆布の仮根の吸着状態を示す他のデジタル写真画像である。
【図２０】本実施形態が海底にて魚礁としての機能も果たすことを示す図であって、昆布の養殖装置の下に棲息するウニを示すデジタル写真画像である。
【図２１】本実施形態の昆布の養殖装置の下に棲息するナマコを示すデジタル写真画像である。
【図２２】本実施形態の昆布の養殖装置の下に棲息するイソギンポの稚魚を示すデジタル写真画像である。
【図２３】本実施形態の昆布の養殖装置の下に棲息するクロガシラを示すデジタル写真画像である。
【図２４】本実施形態の昆布の養殖装置の下に棲息するヒトデを示すデジタル写真画像である。
【図２５】従来のロープを使用した養殖装置を示す図である。
【図２６】図２５で示す従来の養殖装置で養殖した昆布の育成状態を示す図である。
【図２７】天然昆布が岩に仮根を張っている状態を示すデジタル写真画像である。
【図２８】図２７を拡大して仮根の先端における吸着状態を示すデジタル写真画像である。
【図２９】図２７を拡大して仮根の先端における吸着状態を示す他のデジタル写真画像である。
【符号の説明】
【００４１】
１  昆布の養殖装置
２  養殖ベルト
３  ネット状養殖ベルト
４  張設部材
５  結着ベルト
６  紐
７  筒状支柱
８  海底抜け防止プレート
９  傾斜防止プレート
１０  ベルト結着部
１１  ベルト留板
１１ａ  ベルト通し孔
１２  ロープ（養成網）
１３  フロート
１４  おもり
７１  支柱本体
７２  スライド支柱
７３  固定穴
７４  高さ調整穴
７５  高さ調整ボルト
７６  高さ調整ナット
８１  開口部
９１  嵌合穴
９２  空隙防止孔
【図１】
2006129753.tif 000003
【図２】
2006129753.tif 000004
【図３】
2006129753.tif 000005
【図４】
2006129753.tif 000006
【図５】
2006129753.tif 000007
【図６】
2006129753.tif 000008
【図７】
2006129753.tif 000009
【図８】
2006129753.tif 000010
【図９】
2006129753.tif 000011
【図２５】
2006129753.tif 000012
【図２６】
2006129753.tif 000013
【図１０】
2006129753.tif 000014
【図１１】
2006129753.tif 000015
【図１２】
2006129753.tif 000016
【図１３】
2006129753.tif 000017
【図１４】
2006129753.tif 000018
【図１５】
2006129753.tif 000019
【図１６】
2006129753.tif 000020
【図１７】
2006129753.tif 000021
【図１８】
2006129753.tif 000022
【図１９】
2006129753.tif 000023
【図２０】
2006129753.tif 000024
【図２１】
2006129753.tif 000025
【図２２】
2006129753.tif 000026
【図２３】
2006129753.tif 000027
【図２４】
2006129753.tif 000028
【図２７】
2006129753.tif 000029
【図２８】
2006129753.tif 000030
【図２９】
2006129753.tif 000031